(57)【要約】【課題】特定機能を利用するユーザの利便性を向上させる。【解決手段】特定機能に非対応の電子機器が、照会部と、機器検出部と、制御部と、を備える。照会部は、該電子機器と接続された外部機器の各々に特定機能に対応しているか否かを照会する。機器検出部は、照会部の照会結果に基づいて、特定機能に対応している外部機器を検出する。制御部は、機器検出部の検出結果に応じた動作を行う。【選択図】図３
2015191515.tif 000002
【特許請求の範囲】
【請求項１】
特定機能に非対応の電子機器であって、
該電子機器と接続された外部機器の各々に前記特定機能に対応しているか否かを照会する照会部と、
前記照会部の照会結果に基づいて、前記特定機能に対応している外部機器を検出する機器検出部と、
前記機器検出部の検出結果に応じた動作を行う制御部と、
を備える電子機器。
【請求項２】
前記制御部は、前記特定機能に対応している外部機器を選択し、前記特定機能を該外部機器に実行させる機器選択部を含む請求項１に記載の電子機器。
【請求項３】
前記制御部は、前記検出結果に基づく通知を行う通知部を含む請求項１または請求項２に記載の電子機器。
【請求項４】
前記通知部は、前記特定機能に対応する外部機器が検出されると、前記検出結果に応じた選択肢を通知する請求項３に記載の電子機器。
【請求項５】
前記特定機能は、特定のアプリケーションにより実現される機能である請求項１〜請求項４のいずれかに記載の電子機器。
【発明の詳細な説明】
【技術分野】
【０００１】
本発明は、電子機器に関する。
【背景技術】
【０００２】
近年、放送と通信とを連携させたサービスであるハイブリッドキャスト（Hybridcast：登録商標）が開始されている。デジタル放送波には、映像情報及び音声情報などとは別に、現在の視聴番組に関連したハイブリッドキャストに対応するアプリケーションに関する情報を含めることができる。この情報には、アプリケーションの指定に関する、アプリケーションをダウンロードするためのＵＲＬ情報、サーバに関する情報などが含まれている。ハイブリッドキャストでは、このようなアプリケーションをインターネットからダウンロードして実行することにより、様々な機能を実現することができる。（たとえば特許文献１参照）
【先行技術文献】
【特許文献】
【０００３】
【特許文献１】特開２０１２−２４４２８６号公報
【発明の概要】
【発明が解決しようとする課題】
【０００４】
しかしながら、ハイブリッドキャストは既存のデータ放送をさらに進化させたサービスであり、まだ開始されて間もない。そのため、ハイブリッドキャストが利用可能な電子機器は限られており、現時点では、その一部の高級機種が対応しているのみである。さらに、ユーザがハイブリッドキャストに対応している電子機器を明確には認識していない場合がある。このような場合、ユーザは、ハイブリッドキャストが利用可能であることには気づかずに、既存のデータ放送を利用することになる。
【０００５】
本発明は、このような状況を鑑みてなされたものであり、特定機能を利用するユーザの利便性を向上させることができる電子機器を提供することを目的とする。
【課題を解決するための手段】
【０００６】
上記目的を達成するために、本発明の一の態様による電子機器は、特定機能に非対応の電子機器であって、該電子機器と接続された外部機器の各々に特定機能に対応しているか否かを照会する照会部と、照会部の照会結果に基づいて、特定機能に対応している外部機器を検出する機器検出部と、機器検出部の検出結果に応じた動作を行う制御部と、を備える構成（第１の構成）とされる。
【０００７】
上記第１の構成によれば、特定機能に非対応の電子機器は、特定機能に対応しているか否かを外部機器の各々に照会することにより、特定機能に対応している外部機器を検出する。そして、検出結果に応じた動作を行う。従って、検出結果に応じた電子機器の動作により、特定機能に対応する外部機器が接続されているにも関わらず、ユーザが特定機能を利用しない状況を解消し得る。よって、特定機能を利用するユーザの利便性を向上させることができる。
【０００８】
上記第１の構成の電子機器において、制御部は、特定機能に対応している外部機器を選択し、特定機能を該外部機器に実行させる機器選択部を含む構成（第２の構成）としてもよい。
【０００９】
この第２の構成によれば、特定機能に対応している外部機器が選択され、特定機能が実行される。従って、特定機能に対応している外部機器があれば、ユーザはその外部機器を用いて特定機能を利用することができる。
【００１０】
上記第１又は第２の構成の電子機器において、制御部は、検出結果に基づく通知を行う通知部を含む構成（第３の構成）としてもよい。
【００１１】
この第３の構成によれば、通知により、ユーザは、特定機能に対応している外部機器の有無、及びどの外部機器が対応しているかを知ることができる。従って、ユーザは、特定機能が利用できるか否か、及びどの外部機器を用いればよいかを知ることができる。
【００１２】
上記第３の構成の電子機器において、通知部は、特定機能に対応する外部機器が検出されると、検出結果に応じた選択肢を通知する構成（第４の構成）としてもよい。
【００１３】
この第４の構成によれば、ユーザは、対応する外部機器の検出結果に応じて電子機器が実行する動作を選択することができる。
【００１４】
上記第１〜第４のいずれかの構成の電子機器において、特定機能は、特定のアプリケーションにより実現される機能である構成（第５の構成）としてもよい。
【００１５】
この第５の構成によれば、ユーザは、たとえばハイブリッドキャストなどの特定のアプリケーションを利用することができる。
【発明の効果】
【００１６】
本発明によれば、特定機能を利用するユーザの利便性を向上させることができる。
【図面の簡単な説明】
【００１７】
【図１】映像音声システムの概略外観図である。
【図２】映像音声システムのブロック図である。
【図３】第１実施形態においてｄボタンの押下に応じたサービスを実行する処理のフローチャートである。
【図４】第２実施形態においてｄボタンの押下に応じたサービスを実行する処理のフローチャートである。
【発明を実施するための形態】
【００１８】
以下に、図面を参照して、本発明の実施形態を説明する。
【００１９】
＜第１実施形態＞
本発明の一実施形態に係る映像音声システムの全体構成を示す概略外観図を図１に示す。図１に示す映像音声システムは、ＢＤレコーダ１と、ＢＤレコーダ２と、テレビ装置３とから構成される。なお、ＢＤレコーダ１は、ハイブリッドキャストに非対応の電子機器の一例である。また、ＢＤレコーダ２及びテレビ装置３は、ハイブリッドキャストに非対応の電子機器に接続される外部機器の一例である。
【００２０】
ＢＤレコーダ１はテレビ装置３とＨＤＭＩ（登録商標）ケーブル４１によって接続される。ＢＤレコーダ２はテレビ装置３とＨＤＭＩケーブル４２によって接続される。また、ＢＤレコーダ１及びＢＤレコーダ２には、外部のアンテナＡＴが接続される。テレビ装置３にはインターネットＮＴが接続される。
【００２１】
図１に示す映像音声システムの内部構成を概略的に示すブロック図を図２に示す。図２に示すように、ＢＤレコーダ１は、放送受信部１１、信号処理部１２、ＯＳＤ（On Screen Display）処理部１３、制御部１４、光ディスクドライブ１５、記憶部１６、操作入力部１７、ＨＤＤ（Hard disk drive）１８、ネットワークＩ／Ｆ１９、及びＨＤＭＩ通信部２０を備えている。
【００２２】
放送受信部１１は、外部のアンテナＡＴに接続されてデジタル放送の選局、増幅、復調等を行う。放送受信部１１は、デジタルチューナ、及び誤り訂正部等を含むように構成されている。デジタルチューナは、ベースバンド信号の生成、及び生成されたベースバンド信号の復調を行い、誤り訂正部は、復調データに対して誤り訂正を行う。これにより、ＭＰＥＧ２方式のデジタル信号であるＴＳ（Transport Stream）の取得を行う。
【００２３】
なお、ＴＳとは、コンテンツ（番組）の音声ＰＥＳ（Packetized Elementary Stream）、映像ＰＥＳ、及び付加情報を固定長のＴＳパケットに分割してつなぎ合わせたものである。ＴＳは、信号処理部１２へ与えられて映像／音声信号に変換される。なお、ＴＳを変換せずＨＤＤ１８へ直接記録するＤＲ録画を行う場合、信号処理部１２はＴＳのスルーのみを行う。
【００２４】
信号処理部１２では、放送受信部１１により生成されたＴＳが入力されて音声デジタル信号と映像デジタル信号とに分離される。具体的には、信号処理部１２は、放送受信部１１により生成されたＴＳを、ＴＳパケットに分割する。また、信号処理部１２は、ＴＳパケットを再結合することにより、音声／映像のＰＥＳを生成する。
【００２５】
そして、信号処理部１２は、ＰＥＳを結合することにより、ＥＳ（Elementary Stream）を生成する。さらに、信号処理部１２はＥＳの復号を行い、各種デジタル信号に変換する。復号により得られたデジタル信号は、テレビ装置３へ出力する場合は、ＨＤＭＩ通信部２０へ与えられる。
【００２６】
また、録画を行う場合には、上記復号により得られたデジタル信号は、信号処理部１２により更に所定の処理が行われて光ディスクドライブ１５又はＨＤＤ１８に与えられる。再生時は、光ディスクドライブ１５又はＨＤＤ１８から読み出されたデータが信号処理部１２により所定の処理を行われる。そして、復号により得られたデジタル信号は、出力のためにＨＤＭＩ通信部２０に与えられる。
【００２７】
ＯＳＤ処理部１３は、各種ＯＳＤ画像を生成するためのものである。例えばＯＳＤ処理部１３は、信号処理部１２により生成された放送の映像データに対してＯＳＤ画像データを重畳し、重畳後の映像データをＨＤＭＩ通信部２０に与える。また、例えばＯＳＤ処理部１３は、上記重畳は行わずに、メニュー画面等のＯＳＤ画像データをＨＤＭＩ通信部２０に与えることもできる。
【００２８】
制御部１４は、ＢＤレコーダ１の各構成要素を統括的に制御するものであり、映像音声の再生処理、記録処理、出力処理等を制御する。制御部１４は例えば、複数のマイクロプロセッサから構成されている。この制御部１４は、機能的要素として、照会部１４１と、機器検出部１４２と、機器選択部１４３と、通知部１４４と、を有している。
【００２９】
照会部１４１は、ＢＤレコーダ１と接続された外部機器（すなわちＢＤレコーダ２及びテレビ装置３）の各々にハイブリッドキャストに対応しているか否かの問い合わせ（照会）を行う。この問い合わせは、たとえばリモートコントローラＲＣが備える特定の操作キー（たとえばデータ放送の実行を指示するためのｄボタン）の押下に応じて行われる。なお、以下では、リモートコントローラＲＣをリモコン装置ＲＣと呼ぶ。
【００３０】
機器検出部１４２は、照会部１４１の照会結果に基づいて、ハイブリッドキャストに対応している外部機器を検出する。ＢＤレコーダ１では、機器検出部１４２の検出結果に応じた動作が行われる。
【００３１】
機器選択部１４３は、ハイブリッドキャストに対応している外部機器を選択し、ハイブリッドキャストをその外部機器に実行させる。
【００３２】
通知部１４４は、機器検出部１４２の検出結果に基づく通知を行う。なお、この通知は、テレビ装置３の表示により行われてもよいし、不図示の音声出力部（たとえばテレビ装置３のスピーカなど）で行われてもよい。
【００３３】
光ディスクドライブ１５は、ＤＶＤ（Digital Versatile Disc）メディア、或いはＢＤ（Blu-ray Disc：登録商標）メディア等の光ディスクに対して光学的に各種データの読み取り／書き込みを行うための光学装置である。光ディスクドライブ１５は、光ピックアップ（不図示）の制御を行うことにより、光ディスクに光ビームを照射して、音声情報、映像情報等の各種情報の読み取り／書き込みを行う。この際、光ピックアップの駆動制御やフォーカス制御、或いはチルト制御等の各種制御を行う。
【００３４】
記憶部１６は、例えばＲＡＭ（Random Access Memory）１６１及びフラッシュメモリ１６２を含んで構成される。ＲＡＭ１６１は、例えば制御部１４のワークメモリとして用いられ、制御部１４によって各種情報処理が行われる際の処理データが一時的に記憶される。フラッシュメモリ１６２は、電源が供給されていなくても記憶データが保持される不揮発性の記憶媒体である。フラッシュメモリ１６２は、例えば、制御部１４で用いられる各種設定情報及びプログラム、ＢＤレコーダ１の動作設定データ、利用者固有の情報等の保存に用いられる。
【００３５】
操作入力部１７は、ユーザがＢＤレコーダ１に対する各種指示を行うためのものである。操作入力部１７は、例えばＢＤレコーダ１のハウジングに設けられた複数のボタンや、リモコン装置ＲＣから操作信号を受信する受信部等を含む。操作入力部１７によってユーザ操作が受け付けられると、制御部１４は、操作内容に基づいて再生処理や記録処理等各種制御を行う。
【００３６】
ＨＤＤ１８は、デジタルデータを非一時的に記録する磁気記録媒体である。例えば、放送波に含まれるコンテンツをＤＲ（Direct Recording）モードで録画することや、ＤＲモードでの録画データをフォーマット変換することにより生成される録画データ（以下、「変換データ」という）を記録するのに用いられる。なお、ＨＤＤ１８は、図２のようにＢＤレコーダ１に内蔵されてもよいし、外付けされてもよい。
【００３７】
ネットワークＩ／Ｆ１９は、ＢＤレコーダ１をインターネットと接続させるための物理的なインタフェースである。ネットワークＩ／Ｆ１９は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。
【００３８】
ＨＤＭＩ通信部２０は、ＨＤＭＩケーブル４１が接続されるポートを有し、ＨＤＭＩケーブル４１を介してテレビ装置３の備えるＨＤＭＩ通信部３７とＨＤＭＩ規格に準じた通信を行うものである。ＨＤＭＩでは、一本のケーブルで映像、音声、及び制御信号の送受信を行うことができる。制御信号のやり取りについては、ＨＤＭＩにおいてＣＥＣ（Consumer Electronics Control）として定義されている。また、ＣＥＣでは、メーカー独自に設定できるベンダーコマンド（Vendor Command）などが利用できる。
【００３９】
なお、本実施形態の映像音声システムでは、外部機器（ＢＤレコーダ２及びテレビ装置３）への問い合わせ及びその応答には、ＨＤＭＩ−ＣＥＣにおけるベンダーコマンドが用いられる。ベンダーコマンドに宛先アドレスを指定することで外部機器を指定できる。宛先に指定され外部機器が問い合わせを受けた場合、その外部機器の制御部がＨＤＭＩ通信部を介して応答を返信する。なお、各機器１、２、３のＨＤＭＩ通信部は主電源がＯＦＦ状態であってもＣＥＣコマンドを送受信することができる。たとえば、テレビ装置３の主電源がＯＦＦ状態であっても、ベンダーコマンドを用いて、ＢＤレコーダ１及びＢＤレコーダ２間で問い合わせ及びその応答を行なうことができる。
【００４０】
以上、ＢＤレコーダ１の内部構成について説明したが、図２に示すようにＢＤレコーダ２の内部構成はＢＤレコーダ１とほぼ同様である。そのため、ＢＤレコーダ２の各構成の機能を説明することは省略する。なお、ＢＤレコーダ２のＨＤＭＩ通信部３０は、ＨＤＭＩケーブル４２を介して、後述するテレビ装置３のＨＤＭＩ通信部３７に接続される。
【００４１】
次に、テレビ装置３の内部構成について説明する。図２に示すように、テレビ装置３は、放送受信部３１、信号処理部３２、ＯＳＤ処理部３３、制御部３４、記憶部３５、操作入力部３６、ＨＤＭＩ通信部３７、表示部３８、及びネットワークＩ／Ｆ３９を備えている。
【００４２】
放送受信部３１は、外部のアンテナ（不図示）からデジタル放送信号を受信し、ＴＳを生成する。信号処理部３２は、生成されたＴＳに対して各種処理を行い、映像音声のデジタル信号を生成する。生成された映像のデジタル信号は表示部３８に送られ、表示部３８に放送映像が表示される。また、生成された音声のデジタル信号は、不図示の音声出力部（スピーカ等を含む）に送られ、放送音声が発生される。
【００４３】
信号処理部３２により生成された映像信号は、ＯＳＤ処理部３３によりＯＳＤ画像が重畳され、重畳後の映像信号が表示部３８に送られる場合もある。また、重畳を行わずに、ＯＳＤ処理部３３からＯＳＤ画像が表示部３８に送られる場合もある。
【００４４】
制御部３４は、テレビ装置３の各構成要素を統括的に制御する制御装置である。
【００４５】
記憶部３５は、例えば、制御部３４のワークメモリとして用いられたり、制御部３４などで用いられる各種設定情報及びプログラム等を記憶したりする。
【００４６】
操作入力部３６は、ユーザがテレビ装置３に対して各種指示を行うためのものである。操作入力部３６は、例えば、テレビ装置３の筐体に備えられる各種ボタン、及び、不図示のリモコン装置からの操作信号を受信する受信部などを含む。
【００４７】
ＨＤＭＩ通信部３７は、ＢＤレコーダ１のＨＤＭＩ通信部２０に接続されるＨＤＭＩケーブル４１が接続されるポート３７Ａと、ＢＤレコーダ２のＨＤＭＩ通信部３０に接続されるＨＤＭＩケーブル４２が接続されるポート３７Ｂを有している。これにより、ＨＤＭＩ通信部２０、３０、３７は相互に通信が可能となっている。
【００４８】
表示部３８は、映像信号に対応する各種映像を表示する。表示部３８は、例えば液晶パネル（不図示）とこれを駆動する駆動部（不図示）とを含む。
【００４９】
ネットワークＩ／Ｆ３９は、テレビ装置３をインターネットＮＴに接続させるための物理インタフェースである。ネットワークＩ／Ｆ３９は、例えば有線ＬＡＮ、無線ＬＡＮなどに接続可能となっている。
【００５０】
次に、上述のような映像音声システムにおいて、ｄボタンの押下に応じたサービスを実行する処理に関して図３に示すフローチャートを用いて説明する。
【００５１】
リモコン装置ＲＣのｄボタンが押下されると、図３のフローチャートに示す処理が開始される。まず、ステップＳ１０１では、照会部１４１は、ＢＤレコーダ２及びテレビ装置３に対してハイブリッドキャストに対応しているか否かをＨＤＭＩ通信部２０を介して問い合わる。ステップＳ１０２では、機器検出部１４２が、問い合わせの結果に基づいて、ハイブリッドキャストに対応している外部機器を検出する。
【００５２】
但し、問い合わせの結果、ハイブリッドキャストに対応している旨の応答が、外部機器からＨＤＭＩ通信部２０に返ってこなかった場合（ステップＳ１０２でＮＯ）、機器検出部１４２は対応する外部機器無しと判断する。そして、ステップＳ１０３にて、制御部１４はデータ放送を実行し、処理は終了する。なお、ステップＳ１０３を実行する前に、通知部１４１は、ハイブリッドキャストが実行不可である旨をユーザに通知してもよい。この通知は、たとえばテレビ装置３での表示部３８での表示、不図示の音声出力部での音声出力などにより行なうことができる。
【００５３】
一方、ハイブリッドキャストに対応している旨の応答が外部機器から返ってきた場合（ステップＳ１０２でＹＥＳ）、機器検出部１４２により対応する外部機器有りと判定する。例えば機器検出部１４２がＢＤレコーダ２を対応する外部機器として検出すると、ステップＳ１０４において、通知部１４１は、ハイブリッドキャストがＢＤレコーダ３で利用可能である旨をユーザに通知する。上述と同様に、この通知は表示、音声出力などにより行われる。
【００５４】
さらに、ステップＳ１０５では、通知部１４１は、ＢＤレコーダ２を用いてハイブリッドキャストを実行するか否かの選択画面による選択肢を表示部３８に表示する。ハイブリッドキャストを実行しない旨が入力されると（ステップＳ１０６でＮＯ）、ステップＳ１０３にてデータ放送が実行され、処理が終了する。
【００５５】
一方、ハイブリッドキャストを実行する旨が入力されると（ステップＳ１０６でＹＥＳ）、ステップＳ１０７に進む。ステップＳ１０７では、機器選択部１４３は、ＢＤレコーダ２が接続された３７Ｂポートを選択し、そのポート３７Ｂへの入力切替を行う。なお、この入力切替処理は、ＨＤＭＩ−ＣＥＣのアクティブソースコマンド（Active Source Command）を用いて行われる。そして、ステップＳ１０８にて、機器選択部１４３は、テレビ装置３で視聴されている番組の受信状況（たとえば受信チャンネル）などを示す情報をＢＤレコーダ２に送信し、ＢＤレコーダ２でハイブリッドキャストを実行させる。そして、処理は終了する。
【００５６】
なお、ステップＳ１０８が終了した後、ＢＤレコーダ１の電源はＯＮ状態を維持してもよいが、スリープモード又は電源ＯＦＦ状態に移行してもよい。こうすれば、ＢＤレコーダ１での電力消費を抑制又は防止することができる。
【００５７】
以上、第１実施形態について説明した。第１実施形態の映像音声システムによれば、ＢＤレコーダ１は、ハイブリッドキャストに非対応の電子機器であって、照会部１４１と、機器検出部１４２と、を含む制御部１４を備えている。照会部１４１は、ＢＤレコーダ１と接続された外部機器（すなわちＢＤレコーダ２及びテレビ装置３）の各々にハイブリッドキャストに対応しているか否かを照会する。機器検出部１４２は、照会部１４１の照会結果に基づいて、ハイブリッドキャストに対応しているＢＤレコーダ２を検出する。制御部１４は、機器検出部１４２の検出結果に応じた動作を行う。こうすれば、機器検出部１４２の検出結果に応じたＢＤレコーダ１の動作により、ハイブリッドキャストに対応するＢＤレコーダ２が接続されているにも関わらず、ユーザがハイブリッドキャストを利用しない状況を解消し得る。よって、ハイブリッドキャストを利用するユーザの利便性を向上させることができる。
【００５８】
また、第１実施形態によれば、制御部１４は機器選択部１４３を含む。機器選択部１４３は、ハイブリッドキャストに対応しているＢＤレコーダ２を選択し、ハイブリッドキャストをＢＤレコーダ２に実行させる。こうすれば、ハイブリッドキャストに対応している外部機器があれば、ユーザはその外部機器を用いてハイブリッドキャストを利用することができる。
【００５９】
また、第１実施形態によれば、制御部１４は通知部１４４を含む。通知部１４４は、機器検出部１４２の検出結果に基づく通知を行う。こうすれば、通知により、ユーザは、ハイブリッドキャストに対応している外部機器の有無、及びどの外部機器が対応しているかを知ることができる。従って、ユーザは、ハイブリッドキャストが利用できるか否か、及びどの外部機器を用いればよいかを知ることができる。
【００６０】
さらに、通知部１４４は、ハイブリッドキャストに対応する外部機器が検出されると、機器検出部１４２の検出結果に応じた選択肢を通知する。こうすれば、ユーザは、対応する外部機器の検出結果に応じてＢＤレコーダ１が実行する動作を選択することができる。
【００６１】
＜第２実施形態＞
次に、第２実施形態について説明する。第２実施形態では、ハイブリッドキャストに対応する外部機器が検出されると、自動的にその外部機器が選択されてハイブリッドキャストが実行される。以下では、第１実施形態と異なる構成について説明する。また、第１実施形態と同様の構成部には同じ符号を付し、その説明を省略することがある。
【００６２】
第２実施形態において、ｄボタンの押下に応じたサービスを実行する処理に関して図４に示すフローチャートを用いて説明する。なお、図４のフローチャートが開始される以前において、ＢＤレコーダ１には、ハイブリッドキャストに対応する外部機器が検出されると、ｄボタンの押下に応じて、自動的にその外部機器を用いてハイブリッドキャストを実行することが設定されている。この設定は、ＢＤレコーダ１の設定メニュー画面などで行うことができる。
【００６３】
リモコン装置ＲＣのｄボタンが押下されると、ステップＳ２０１では、照会部１４１は、ＢＤレコーダ２及びテレビ装置３に対してハイブリッドキャストに対応しているか否かをＨＤＭＩ通信部２０を介して問い合わせる。問い合わせの結果、ハイブリッドキャストに対応している旨の応答が外部機器からＨＤＭＩ通信部２０に返ってこなかった場合（ステップＳ２０２でＮＯ）、機器検出部１４２は対応する外部機器無しと判断する。そして、ステップＳ２０３にて、制御部１４はデータ放送を実行し、処理は終了する。
【００６４】
一方、ハイブリッドキャストに対応している旨の応答が外部機器から返ってきた場合（ステップＳ２０２でＹＥＳ）、機器検出部１４２により対応する外部機器有りと判定する。例えば対応する外部機器としてＢＤレコーダ２が検出されると、ステップＳ２０７にて、機器選択部１４３は、ＢＤレコーダ２が接続されたポート３７Ｂを選択して入力切替を行う。そして、ステップＳ２０８にて、機器選択部１４３は、テレビ装置３で視聴されている番組の受信状況（たとえば受信チャンネル）などを示す情報などをＢＤレコーダ２に送信し、ＢＤレコーダ２でハイブリッドキャストを実行させる。そして、処理は終了する。
【００６５】
なお、ステップＳ２０８が終了した後、ＢＤレコーダ１の電源はＯＮ状態を維持してもよいが、スリープモード又は電源ＯＦＦ状態に移行してもよい。こうすれば、ＢＤレコーダ１での電力消費を抑制又は防止することができる。
【００６６】
以上、本発明の実施形態について説明した。なお、上述の実施形態は例示であり、その各構成要素や各処理の組み合わせに色々な変形が可能であり、本発明の範囲にあることは当業者に理解されるところである。
【００６７】
たとえば、上述の第１及び第２実施形態では、特定機能としてハイブリッドキャストにより実現される機能を例示しているが、本発明の適用範囲はこれらの例示に限定されない。ハイブリッドキャスト以外の特定のアプリケーションにより実現される機能に対応する外部機器を検出して、その検出結果に応じた動作を行う構成であってもよい。
【００６８】
また、上述の第１及び第２実施形態において、照会部１４１、機器検出部１４２、機器選択部１４３、及び通知部１４４は、制御部１４の機能的要素として実現されているが、本発明の適用範囲はこれらの例示に限定されない。これらの機能的要素のうちの少なくとも一部は、物理的な構成要素（たとえば電気回路、装置など）で実現されていてもよい。
【符号の説明】
【００６９】
１、２  ＢＤレコーダ
１１、２１  放送受信部
１２、２２  信号処理部
１３、２３  ＯＳＤ処理部
１４、２４  制御部
１４１  照会部
１４２  機器検出部
１４３  機器選択部
１４４  通知部
１５、２５  光ディスクドライブ
１６、２６  記憶部
１６１、２６１  ＲＡＭ
１６２、２６２  フラッシュメモリ
１７、２７  操作入力部
１８、２８  ＨＤＤ
１９、２９  ネットワークＩ／Ｆ
２０、３０  ＨＤＭＩ通信部
３  テレビ装置
３１  放送受信部
３２  信号処理部
３３  ＯＳＤ処理部
３４  制御部
３５  記憶部
３６  操作入力部
３７  ＨＤＭＩ通信部
３７Ａ、３７Ｂ  ポート
３８  表示部
３９  ネットワークＩ／Ｆ
４１、４２  ＨＤＭＩケーブル
【図１】
2015191515.tif 000003
【図２】
2015191515.tif 000004
【図３】
2015191515.tif 000005
【図４】
2015191515.tif 000006